(57)【特許請求の範囲】
【請求項１】
手動開閉器（１）の固定接触子（２ｘ，２ｙ，２ｚ）に対する可動接触子（３ｘ，３ｙ，３ｚ）の開操作を、ハンドル軸（９）の回転操作によりトグル機構（１０）を駆動して、該トグル機構のトグルバネ（１８）の蓄勢力を放出することにより前記手動開閉器の駆動軸（４）を開方向に強制的に回転して前記可動接触子を前記固定接触子から離間させる手動開閉器用操作装置において、
前記トグル機構（１０）が開操作を行っている最中に、該トグル機構が死点を超えても該トグル機構の蓄勢力で前記可動接触子が前記固定接触子から切り離されないときに、該トグル機構の一部を押圧して切り離し力を与える強制引き外しリンク機構（２７）が該トグル機構（１０）に連結され、
前記トグル機構（１０）は、
前記ハンドル軸（９）の外周に中間部が該ハンドル軸と一緒に回転するように一体に連結されたハンドルアーム（１１）と、
前記ハンドル軸（９）の外周の長手方向の別の位置に一端寄りの部分が嵌め合わされて回転自在に支持されたトグルアーム（１２）と、
を備えていて、
前記トグルアーム（１２）の一端寄りの部分の側面に斜め面取り部（１２ａ）が形成され、
ハンドル入り接点入りの状態とハンドル切り接点入りの状態とで前記斜め面取り部（１２ａ）が接触すると共にハンドル切り接点切りの状態で前記斜め面取り部（１２ａ）に連続している前記トグルアーム（１２）の側面部（１２ｂ）が接触するようにストッパー（１３）が設けられ、
前記トグルアーム（１２）の他端寄りの部分にバネ支持アーム（１４）の一端が可動連結軸（１５）で回動可能に連結され、
前記バネ支持アーム（１４）の他端側で長孔（１６）が設けられた部分は該長孔を貫通する可動連結軸（１７）で回動可能に前記ハンドルアーム（１１）の一端側が連結され、
前記バネ支持アーム（１４）の外周には前記ハンドルアーム（１１）の一端側で蓄勢される前記トグルバネ（１８）が支持され、
前記駆動軸（４）の外周の一部には前記トグル機構（１０）の出力アーム（１９）の一端が前記駆動軸（４）と一緒に回転するように連結され、
前記ハンドル軸（９）と前記駆動軸（４）との間には固定連結軸（２０）が配置され、
前記トグルアーム（１２）の他端寄りの部分の前記可動連結軸（１５）と前記ハンドル軸（９）との間には可動連結軸（２１）で第１のリンクアーム（２２）の一端が回転自在に連結され、
前記固定連結軸（２０）の外周には第２のリンクアーム（２３）の一端が回転自在に連結され、
前記出力アーム（１９）の他端には第３のリンクアーム（２４）の一端が可動連結軸（２５）で回転自在に連結され、
前記第１，第２，第３のリンクアーム（２２，２３，２４）の他端は共通の可動連結軸（２６）で回転自在に連結されていること、
を特徴とする手動開閉器用操作装置。
【請求項２】
前記強制引き外しリンク機構（２７）は、一端が前記ハンドルアーム（１１）の他端に可動連結軸（２９）で回転自在に連結された第１の強制引き外しリンクアーム（２８）と、前記出力アーム（１９）の他端の前記可動連結軸（２５）に一端が回転自在に連結された第２の強制引き外しリンクアーム（３０）とを備え、
前記第１，第２の強制引き外しリンクアーム（２８，３０）の他端は、相互に可動連結軸（３１）で回転自在に連結され、
前記第２の強制引き外しリンクアーム（３０）の一部には、前記トグル機構（１０）が開操作を行っている最中に、該トグル機構が死点を超えても該トグル機構の蓄勢力で前記可動接触子（３ｘ，３ｙ，３ｚ）が前記固定接触子（２ｘ，２ｙ，２ｚ）から切り離されないときに、該トグル機構（１０）の前記共通の可動連結軸（２６）を押圧して切り離し力を与える押圧部分（３０ａ）が設けられていること、
を特徴とする請求項１に記載の手動開閉器用操作装置。
【発明の詳細な説明】
【０００１】
【発明の属する技術分野】
本発明は、手動開閉器を操作する際に用いる手動開閉器用操作装置に関するものである。
【０００２】
【従来の技術】
手動開閉器にあっては、固定接触子に可動接触子が溶着して開操作ができなくなることがある。これを防止するために、従来の手動開閉器用操作装置にあっては、固定接触子と可動接触子との溶着部を強制的に切り離すためにハンマー効果により溶着部に衝撃力を加える構造のものがあった。この手動開閉器用操作装置では、操作力を伝達するトグル機構の途中の相互に連結する一方のアームと他方のアームとを可動連結軸で連結する箇所で、これらアームの一方を長孔を介して可動連結軸で連結し、ハンドルの切操作で可動連結軸が長孔の一端から動きだし、長孔の他端に当たるときの衝撃で溶着部を強制的に切り離すようになっていた。
【０００３】
【発明が解決しようとする課題】
しかしながら、このような構造の手動開閉器用操作装置では、長孔の長さだけ該操作装置のストロークを大きくする必要があり、このため駆動力のアップや操作装置の大型化を招く問題点があった。
【０００４】
本発明の目的は、固定接触子と可動接触子との溶着部の強制的切り離しを、ハンドル軸の回転操作により支障なく行わせることができる手動開閉器用操作装置を提供することにある。
【０００５】
本発明の他の目的は、空きスペースを有効利用して装置の大型化を防止しつつ、固定接触子と可動接触子との溶着部の強制的切り離しを、ハンドル軸の回転操作により支障なく行わせることができる手動開閉器用操作装置を提供することにある。
【０００６】
【課題を解決するための手段】
本発明は、手動開閉器１の固定接触子２ｘ，２ｙ，２ｚに対する可動接触子３ｘ，３ｙ，３ｚの開操作を、ハンドル軸９の回転操作によりトグル機構１０を駆動して、該トグル機構のトグルバネ１８の蓄勢力を放出することにより手動開閉器の駆動軸４を開方向に強制的に回転して可動接触子を固定接触子から離間させる手動開閉器用操作装置を改良するものである。
【０００７】
本発明に係る手動開閉器用操作装置においては、トグル機構１０が開操作を行っている最中に、該トグル機構が死点を超えても該トグル機構の蓄勢力で前記可動接触子が前記固定接触子から切り離されないときに、該トグル機構の一部を押圧して切り離し力を与える強制引き外しリンク機構２７が該トグル機構１０に連結されていることを特徴とする。
【０００８】
このような強制引き外しリンク機構がトグル機構に連結されていると、ハンドルを操作する力が、固定接触子と可動接触子との溶着部を直接切り離す力として利用されて、溶着部の切り離しを行うことができる。
【０００９】
本発明においては、上記トグル機構１０が下記のように構成される。
（イ）ハンドル軸９の外周に中間部が該ハンドル軸と一緒に回転するように一体に連結されたハンドルアーム１１と、ハンドル軸９の外周の長手方向の別の位置に一端寄りの部分が嵌め合わされて回転自在に支持されたトグルアーム１２とを備えている。
（ロ）トグルアーム１２の一端寄りの部分の側面に斜め面取り部１２ａが形成されている。
（ハ）ハンドル入り接点入りの状態とハンドル切り接点入りの状態とで斜め面取り部１２ａが接触すると共にハンドル切り接点切りの状態で斜め面取り部１２ａに連続しているトグルアーム１２の側面部１２ｂが接触するようにストッパー１３が設けられている。
（ニ）トグルアーム１２の他端寄りの部分にバネ支持アーム１４の一端が可動連結軸１５で回動可能に連結されている。
（ホ）バネ支持アーム１４の他端側で長孔１６が設けられた部分は該長孔を貫通する可動連結軸１７で回動可能にハンドルアーム１１の一端側が連結されている。
（ヘ）バネ支持アーム１４の外周にはハンドルアーム１１の一端側で蓄勢されるトグルバネ１８が支持されている。
（ホ）駆動軸４の外周の一部にはトグル機構１０の出力アーム１９の一端が駆動軸４と一緒に回転するように連結されている。
（ト）ハンドル軸９と駆動軸４との間には固定連結軸２０が配置されている。
（チ）トグルアーム１２の他端寄りの部分の可動連結軸１５とハンドル軸９との間には可動連結軸２１で第１のリンクアーム２２の一端が回転自在に連結されている。
（リ）固定連結軸２０の外周には第２のリンクアーム２３の一端が回転自在に連結されている。
（ヌ）出力アーム１９の他端には第３のリンクアーム２４の一端が可動連結軸２５で回転自在に連結されている。
（ル）第１，第２，第３のリンクアーム２２，２３，２４の他端は共通の可動連結軸２６で回転自在に連結されている。
【００１０】
また、本発明においては、強制引き外しリンク機構が下記のように構成されることが好ましい。
（ａ）ハンドルアーム１１の他端に一端が可動連結軸２９で回転自在に連結された第１の強制引き外しリンクアーム２８と、出力アーム１９の他端の可動連結軸２５に一端が回転自在に連結された第２の強制引き外しリンクアーム３０とを備えている。
（ｂ）第１，第２の強制引き外しリンクアーム２８，３０の他端が相互に可動連結軸３１で回転自在に連結されている。
（ｃ）第２の強制引き外しリンクアーム３０の一部にはトグル機構１０が開操作を行っている最中に、該トグル機構が死点を超えても該トグル機構の蓄勢力で可動接触子３ｘ，３ｙ，３ｚが固定接触子２ｘ，２ｙ，２ｚから切り離されないときに、該トグル機構１０の共通の可動連結軸２６を押圧して切り離し力を与える押圧部分３０ａが設けられている。
【００１１】
このようになっていると、空きスペースを有効利用して装置の大型化を防止しつつ、固定接触子と可動接触子との溶着部の強制的切り離し容易に行わせることができる。
【００１２】
なお、本発明で、可動連結軸とはこの連結軸の存在位置が連結している相手の動きと共に移動するものを意味し、また固定連結軸とはこの連結軸の存在位置が動かないものを意味し、いずれの場合でも軸自体がその軸心の回りに回転するか、しないかを表現しているものではない。
【００１３】
【発明の実施の形態】
図１及び図２は本発明に係る手動開閉器用操作装置における実施の形態の一例を示したもので、図１は本例の手動開閉器用操作装置における斜視図、図２は本例の手動開閉器用操作装置におけるハンドル入り接点入りの状態を示す横断面図である。
【００１４】
本例の手動開閉器用操作装置においては、手動開閉器１は、Ｘ，Ｙ，Ｚの３相の対形の固定接触子２ｘ，２ｙ，２ｚに対する３相の可動接触子３ｘ，３ｙ，３ｚの開操作を、駆動軸４に一体に基端が固設されている金属製の操作アーム５ａｘ，５ａｙ，５ａｚと、これら操作アーム５ａｘ，５ａｙ，５ａｚの先端に基端が図示しない可動連結軸で枢支連結された絶縁操作アーム５ｂｘ，５ｂｙ，５ｂｚとで可動接触子３ｘ，３ｙ，３ｚの中間部に可動連結軸６ｘ，６ｙ，６ｚを介して伝えて、各可動接触子３ｘ，３ｙ，３ｚの基端を枢支連結軸７ｘ，７ｙ，７ｚを中心として先端側を図１で上向きに回動させることにより行うようになっている。可動連結軸６ｘ，６ｙ，６ｚは、対形の可動接触子３ｘ，３ｙ，３ｚと絶縁操作アーム５ｂｘ，５ｂｙ，５ｂｚとを貫通するボルト６ａと、このボルト６ａに螺合されたナット６ｂと、対形の可動接触子３ｘ，３ｙ，３ｚの外面でボルト６ａに嵌め付けられてこれら対形の可動接触子３ｘ，３ｙ，３ｚが閉じる方向に付勢するコイルバネ６ｃにより構成されている。枢支連結軸７ｘ，７ｙ，７ｚは、対形の可動接触子３ｘ，３ｙ，３ｚの基端と、図２に示すケーブル３５ｘ，３５ｙ，３５ｚの図示しない導体とを貫通するボルト７ａと、このボルト７ａに螺合されたナット７ｂと、対形の可動接触子３ｘ，３ｙ，３ｚの外面でボルト７ａに嵌め付けられてこれら対形の可動接触子３ｘ，３ｙ，３ｚが閉じる方向に付勢するコイルバネ７ｃにより構成されている。可動接触子３ｘ，３ｙ，３ｚを構成する対は、それぞれ内向きに凸型に湾曲された構造になっていて、その間に対応する固定接触子２ｘ，２ｙ，２ｚへの挿入を容易に行えるようになっている。
【００１５】
ハンドル軸９を回す小さな力を拡大して駆動軸４を回転させるためにトグル機構１０が設けられている。ハンドル軸９は、位置が固定されている。
【００１６】
このトグル機構１０は、ハンドル軸９の外周に一体に中間部が連結されて該ハンドル軸９と一緒に回転する１対のハンドルアーム１１を備えている。このハンドルアーム１１の一方の側面側には、等脚の傾斜面１１ａ，１１ｂが中心側面１１ｃの左右に台形状に設けられている。また、ハンドル軸９の外周の長手方向の別の位置（１対のハンドルアーム１１を挟み込む両側の位置）には、１対のトグルアーム１２の一端寄りの部分が嵌め合わされて回転自在に支持されている。該トグルアーム１２の一端寄りの部分の側面には、斜めに面取りされて斜め面取り部１２ａが形成されている。該トグルアーム１２の斜め面取り部１２ａと側面部１２ｂとに対向する位置には、ストッパー１３が図示しない固定部材に固定されて配置されている。このストッパー１３には、ハンドル入り接点入りの状態とハンドル切り接点入りの状態ではトグルアーム１２の斜め面取り部１２ａが接触し、またハンドル切り接点切りの状態ではトグルアーム１２の側面部１２ｂが接触するようになっている。また、このストッパー１３には、ハンドル入り接点入りの状態ではハンドルアーム１１の傾斜面１１ｂが接触し、ハンドル切り接点入りの状態ではハンドルアーム１１の傾斜面１１ａが接触寸前にあり、ハンドル切り接点切りの状態ではハンドルアーム１１の傾斜面１１ａが接触する状態にある。一方のトグルアーム１２の他端寄りの部分には、バネ支持アーム１４の一端が可動連結軸１５で回動可能に連結されている。バネ支持アーム１４の他端側で長孔１６が設けられた部分は、該長孔１６を貫通する可動連結軸１７で回動可能に各ハンドルアーム１１の一端側が連結されている。バネ支持アーム１４の外周には、ハンドルアーム１１の一端側で蓄勢されるトグルバネ１８が嵌め付けられて支持されている。駆動軸４の外周の一部には、トグル機構１０の１対の出力アーム１９の一端が駆動軸４と一緒に回転するように連結されている。ハンドル軸９と駆動軸４との間には、固定連結軸２０が配置されている。各トグルアーム１２の他端寄りの部分の可動連結軸１５とハンドル軸９との間には、可動連結軸２１で１対の第１のリンクアーム２２の一端が回転自在に連結されている。固定連結軸２０の外周には、１対の第２のリンクアーム２３の一端が回転自在に連結されている。１対の出力アーム１９の他端には、第３のリンクアーム２４の一端が可動連結軸２５で回転自在に連結されている。第１，第２，第３のリンクアーム２２，２３，２４の他端は、共通の可動連結軸２６で回転自在に連結されている。
【００１７】
このようなトグル機構１０には、該トグル機構１０が開操作を行っている最中に、該トグル機構１０が死点を超えても該トグル機構１０の蓄勢力で可動接触子３ｘ，３ｙ，３ｚが固定接触子２ｘ，２ｙ，２ｚから切り離されないときに、該トグル機構１０の一部を押圧して切り離し力を与える強制引き外しリンク機構２７が連結されている。ここで、トグル機構１０の死点とは、ハンドル軸９の中心と、可動連結軸１７の中心と、可動連結軸１５の中心とが一直線状に並んでいる位置である。
【００１８】
この強制引き外しリンク機構２７は、第１の強制引き外しリンクアーム２８の一端がハンドルアーム１１の他端に可動連結軸２９で回転自在に連結され、出力アーム１９の他端の可動連結軸２５に１対の第２の強制引き外しリンクアーム３０の一端が回転自在に連結され、これら第１，第２の強制引き外しリンクアーム２８，３０の他端が相互に可動連結軸３１で回転自在に連結され、第２の強制引き外しリンクアーム３０の一部にはトグル機構１０が開操作を行っている最中に、該トグル機構１０が死点を超えても該トグル機構１０の蓄勢力で可動接触子３ｘ，３ｙ，３ｚが固定接触子２ｘ，２ｙ，２ｚから切り離されないときに、該トグル機構１０の一部を押圧して切り離し力を与える押圧部分３０ａが設けられた構造になっている。
【００１９】
このような強制引き外しリンク機構２７を備えたトグル機構１０は、ケース３３内に収納されている。
【００２０】
３相の固定接触子２ｘ，２ｙ，２ｚには、それぞれ各相のケーブル３４ｘ，３４ｙ，３４ｚが接続されている。３相の可動接触子３ｘ，３ｙ，３ｚには、それぞれ各相のケーブル３５ｘ，３５ｙ，３５ｚが接続されている。
【００２１】
次に、上記の如き強制引き外しリンク機構２７を備えたトグル機構１０の動作を、前述した図２に示すハンドル入り接点入りの状態を示す横断面図と、これから説明する図３及び図４とを参照して説明する。ここで、図３はハンドル切り接点入りの状態を示す横断面図、図４はハンドル切り接点切りの状態を示す横断面図である。
【００２２】
図２に示すハンドル入り接点入りの状態では、トグル機構１０と強制引き外しリンク機構２７は図示の状態になっている。この状態では、トグルアーム１２の斜め面取り部１２ａがストッパー１３に接触し、ハンドルアーム１１の傾斜面１１ｂがストッパー１３に接触している。
【００２３】
かかる状態で、ハンドル軸９を図２で反時計方向に回すと、対形の可動接触子３ｘ，３ｙ，３ｚが固定接触子２ｘ，２ｙ，２ｚに溶着されていない状態では、ハンドルアーム１１が一緒に反時計方向に回り、該ハンドルアーム１１に可動連結軸１７で連結されているバネ支持アーム１４が可動連結軸１５を中心として図２に示す状態から図３に示すように時計回りに回転し、トグルバネ１８がハンドルアーム１１の可動連結軸１７の端部で押されて圧縮され、蓄勢状態になる。この過程で、ハンドル軸９の中心と、可動連結軸１７の中心と、可動連結軸１５の中心とが一直線状に並んだ死点の位置を可動連結軸１７の中心が超えると、トグルバネ１８がフリーになってハンドルアーム１１を押圧し、該ハンドルアーム１１を反時計方向に強制的に回転させる。ハンドルアーム１１の強制的な反時計方向の回転により、傾斜面１１ａがストッパー１３に接触する。また、トグルアーム１２のハンドル軸９を中心にした時計回りの回転により、第１のリンクアーム２２が左方向に引っ張られる。この動作で、可動連結軸２５が駆動軸４を中心として時計回りに円弧方向に強制回転運動をして、出力アーム１９が駆動軸４と共に時計回りに強制的に回転する。駆動軸４の時計回りの強制的な回転により、絶縁操作アーム５ｂｘ，５ｂｙ，５ｂｚが時計回りに回転して、可動接触子３ｘ，３ｙ，３ｚがその基端の枢支連結軸７ｘ〜７ｚを中心として上向きに回転して各固定接触子２ｘ，２ｙ，２ｚから抜け出す。
【００２４】
ハンドル軸９を図２で反時計方向に回す際に、対形の可動接触子３ｘ，３ｙ，３ｚが固定接触子２ｘ，２ｙ，２ｚに溶着されていると、図３に示すようにハンドル軸９の中心と、可動連結軸１７の中心と、可動連結軸１５の中心とが一直線状に並んだ死点の位置を可動連結軸１７の中心が超えても、それ以上の動作が進まない。この状態では、ハンドルアーム１１はその傾斜面１１ａがストッパー１３に接触寸前にあり、またこの状態では、トグルアーム１２の斜め面取り部１２ａがストッパー１３に接触したままであり、該トグルアーム１２の向きの変化はない。またこの状態では、ハンドルアーム１１の反時計方向の回転によりバネ支持アーム１４が可動連結軸１５を中心として図２に示す状態から図３に示すように時計回りに回転し、トグルバネ１８がハンドルアーム１１の可動連結軸１７の端部で押されて圧縮され、蓄勢状態にある。
【００２５】
かかる状態では、ハンドルアーム１１の反時計方向の回転により、図３に示すように強制引き外しリンク機構２７の第１の強制引き外しリンクアーム２８が上向きに引上げられ、これにより第２の強制引き外しリンクアーム３０が可動連結軸２５を中心として反時計回りに回転し、この第２の強制引き外しリンクアーム３０の長手方向の中間の押圧部分３０ａが共通の可動連結軸２６に当たり、該共通の可動連結軸２６を図３で左方向に強制的に押圧することになる。
【００２６】
このように押圧部分３０ａが共通の可動連結軸２６を強制的に押圧すると、第１のリンクアーム２２と可動連結軸２１とを介してトグルアーム１２が時計回りに押圧され、可動連結軸１５も一緒に時計回りに移動し、これによりバネ支持アーム１４が相対的に可動連結軸１５を中心として時計回りに回り、トグルバネ１８がフリーになってハンドルアーム１１を押圧し、該ハンドルアーム１１を反時計方向に強制的に回転させる。ハンドルアーム１１の強制的な反時計方向の回転により、傾斜面１１ａがストッパー１３に接触する。また、トグルアーム１２のハンドル軸９を中心にした時計回りの回転により、第１のリンクアーム２２が左方向に引っ張られる。この動作で、可動連結軸２５が駆動軸４を中心として時計回りに円弧方向に強制回転運動をして、出力アーム１９が駆動軸４と共に時計回りに強制的に回転する。駆動軸４の時計回りの強制的な回転により、絶縁操作アーム５ｂｘ，５ｂｘ，５ｂｚが時計回りに回転して、可動接触子３ｘ，３ｙ，３ｚがその基端の枢支連結軸７ｘ〜７ｚを中心として上向きに回転して各固定接触子２ｘ，２ｙ，２ｚから抜け出す。
【００２７】
このように強制引き外しリンク機構２７を設けると、対形の可動接触子３ｘ，３ｙ，３ｚが固定接触子２ｘ，２ｙ，２ｚに溶着されていても、ハンドルを操作する力で、固定接触子２ｘ，２ｙ，２ｚと可動接触子３ｘ，３ｙ，３ｚとの溶着部を容易に切り離すことができる。
【００２８】
【発明の効果】
本発明に係る手動開閉器用操作装置においては、トグル機構に強制引き外しリンク機構を連結しているので、ハンドルを操作する力が、固定接触子と可動接触子との溶着部を直接切り離す力として利用されて、溶着部の切り離しを容易に行うことができる。
【図面の簡単な説明】
【図１】  本発明に係る手動開閉器用操作装置における実施の形態の一例を示した斜視図である。
【図２】  本例の手動開閉器用操作装置におけるハンドル入り接点入りの状態を示す横断面図である。
【図３】  本例の手動開閉器用操作装置におけるハンドル切り接点入りの状態を示す横断面図である。
【図４】  本例の手動開閉器用操作装置におけるハンドル切り接点切りの状態を示す横断面図である。
【符号の説明】
１  手動開閉器
２ｘ，２ｙ，２ｚ  固定接触子
３ｘ，３ｙ，３ｚ  可動接触子
４  駆動軸
５ａｘ，５ａｙ，５ａｚ  操作アーム
５ｂｘ，５ｂｙ，５ｂｚ  絶縁操作アーム
６ａ  ボルト
６ｂ  ナット
６ｃ  コイルバネ
７ｘ，７ｙ，７ｚ  枢支連結軸
７ａ  ボルト
７ｂ  ナット
７ｃ  コイルバネ
９  ハンドル軸
１０  トグル機構
１１  ハンドルアーム
１１  ハンドルアーム
１１ａ，１１ｂ  傾斜面
１２  トグルアーム
１２ａ  斜め面取り部
１２ｂ  側面部
１２ｃ  中心側面
１３  ストッパー
１４  バネ支持アーム
１５  可動連結軸
１６  長孔
１７  可動連結軸
１８  トグルバネ
１９  出力アーム
２０  固定連結軸
２１  可動連結軸
２２  第１のリンクアーム
２３  第２のリンクアーム
２４  第３のリンクアーム
２５  可動連結軸
２６  共通の可動連結軸
２７  強制引き外しリンク機構
２８  第１の強制引き外しリンクアーム
２９  可動連結軸
３０  第２の強制引き外しリンクアーム
３０ａ  押圧部分
３１  可動連結軸
３３  ケース
３４ｘ，３４ｙ，３４ｚ  ケーブル
３５ｘ，３５ｙ，３５ｚ  ケーブル
【図１】
0004316049.tif 000002
【図２】
0004316049.tif 000003
【図３】
0004316049.tif 000004
【図４】
0004316049.tif 000005